(57)【要約】【課題】表示装置において設定メニューを見やすく表示する。【解決手段】デジタルカメラ１０が備える複数の機能を設定対象とする設定項目と、これら設定項目を表示部２４に表示すべき位置とを、例えば、設定対象とする機能の類似の度合いが高いもの程互いに近い座標となるよう記憶部２５の表示内容テーブルＴ１に記憶させ、この表示内容テーブルＴ１に記憶された設定項目を表示部２４に表示させる際には、設定対象の類似の度合いに応じた表示を行う。【選択図】図５
2010060690.tif 000002
【特許請求の範囲】
【請求項１】
複数種の機能を備え、これらの機能を設定対象とした設定項目を表示する表示手段を備える表示装置であって、
この表示装置が備える複数種の機能に係る設定項目の夫々について、設定対象となる機能の類似の度合い応じた表示すべき位置を記憶する記憶手段と、
この記憶手段に記憶された設定項目を複数前記表示手段に表示するよう指示する表示指示手段と、
この表示指示手段による設定項目の表示が指示されると、前記記憶手段から複数の設定項目を読み出すとともに、前記類似の度合いに応じて前記複数の設定項目のうち類似する設定項目同士を互いに接近する位置に表示させるよう制御する表示制御手段と、
を備えることを特徴とする表示装置。
【請求項２】
前記表示手段の全面に設けられ、前記表示手段に表示された複数の設定項目のうち、特定の設定項目への指示を検出する指示検出手段と、
この指示検出手段によって指示が検出された前記特定の設定項目について設定内容を変更する変更手段と、
を更に備えることを特徴とする請求項１に記載の表示装置。
【請求項３】
撮像手段を更に備え、
前記複数種の機能とは、前記撮像手段による撮像に関連する機能、前記撮像手段によって撮像された画像の表示に関連する機能の少なくとも一方であることを特徴とする請求項１又は２に記載の表示装置。
【発明の詳細な説明】
【技術分野】
【０００１】
本発明は、表示装置に関する。
【背景技術】
【０００２】
デジタルカメラには、液晶モニタ等の表示画面が設けられている。デジタルカメラと同様の機能を有するカメラ機能付き携帯電話等においても、同様に液晶モニタ等の表示画面が設けられている。この表示画面には、撮像された被写体の静止画や、動画を表示することができる。また、表示画面には撮影条件等のデジタルカメラの動作に係る各種設定処理を行うためのメニューを表示させることができる。
【０００３】
近年のデジタルカメラは、機能が多様化しており、設定メニュー数も必然的に多くなる。ユーザが所望する項目を簡単な操作で選択するためには、ユーザが選択しやすいようなメニューを表示する必要があった。
【０００４】
特許文献１には、小型の電子カメラ等の撮影モード時に、多数の選択項目を階層的に構成した操作用メニュー画面を表示させ、ユーザの入力操作の補助を行う技術が記載されている。
【特許文献１】特開２００２−１８９５５２号公報
【発明の開示】
【発明が解決しようとする課題】
【０００５】
しかしながら、特許文献１に開示された技術では、予め定められた階層メニューに基づいてユーザに選択操作を行わせるため、表示されたメニューの、どの位置にどのような機能を設定する項目があるか、が明確ではない。そのため、ユーザは自己が選択すべき項目の位置を覚えておく必要があった。
【０００６】
本発明は、上記問題点に鑑みて成されたものであり、その目的とするところは、表示装置において設定メニューを見やすく表示することである。
【課題を解決するための手段】
【０００７】
上記課題を解決するために、請求項１に記載の発明は、
複数種の機能を備え、これらの機能を設定対象とした設定項目を表示する表示手段を備える表示装置であって、
この表示装置が備える複数種の機能に係る設定項目の夫々について、設定対象となる機能の類似の度合い応じた表示すべき位置を記憶する記憶手段と、
この記憶手段に記憶された設定項目を複数前記表示手段に表示するよう指示する表示指示手段と、
この表示指示手段による設定項目の表示が指示されると、前記記憶手段から複数の設定項目を読み出すとともに、前記類似の度合いに応じて前記複数の設定項目のうち類似する設定項目同士を互いに接近する位置に表示させるよう制御する表示制御手段と、
を備えることを特徴とする。
【０００８】
請求項２に記載の発明は、請求項１に記載の発明において、
前記表示手段の全面に設けられ、前記表示手段に表示された複数の設定項目のうち、特定の設定項目への指示を検出する指示検出手段と、
この指示検出手段によって指示が検出された前記特定の設定項目について設定内容を変更する変更手段と、
を更に備えることを特徴とする。
【０００９】
請求項３に記載の発明は、請求項１又は２に記載の発明において、
撮像手段を更に備え、
前記複数種の機能とは、前記撮像手段による撮像に関連する機能、前記撮像手段によって撮像された画像の表示に関連する機能の少なくとも一方であることを特徴とする。
【発明の効果】
【００１０】
本発明によれば、表示装置において設定メニューを見やすく表示させることができる。
【発明を実施するための最良の形態】
【００１１】
まず、本発明に係る表示装置の実施形態を適用したデジタルカメラ１０の構成について説明する。なお、本発明は図示例のものに限定されるものではない。
【００１２】
図１に、本実施の形態におけるデジタルカメラ１０の内部構成を示す。デジタルカメラ１０は、図１に示すように、制御部２０、撮像部２１、Ａ／Ｄ（Analog-Digital）変換部２２、タッチパネル２３、表示部２４、記憶部２５、画像処理部２６、操作部２７、Ｉ／Ｆ（InterFace）２８、外部記憶Ｉ／Ｏ（InputOutput）部２９等を備えて構成される。
【００１３】
制御部２０は、ＣＰＵ（Central Processing Unit）等により構成され、記憶部２５に格納された制御プログラムに従って、デジタルカメラ１０の各部を統括的に制御する。
【００１４】
撮像部２１は、撮像手段として機能し、レンズユニットやＣＣＤ（Charge Coupled Device）等から構成され、レンズユニットを介して入射された撮影画像をアナログ信号に光電変換する。本実施の形態においては、撮像部２１はＡＦ（Auto Focus）機能を備えており、レンズユニットの焦点距離（ピント）を変化させることができる。
【００１５】
Ａ／Ｄ変換部２２は、撮像部２１で得られたアナログ信号をデジタル信号に変換し、制御部２０へ入力する。
【００１６】
タッチパネル２３は、指示検出手段として機能し、表示部２４と一体となって設けられ、表示部２４の表示画面に接触する操作者の指の接触位置を検出する。即ち、タッチパネル２３は、例えば、表示部２４の表示画面上或いは表示画面よりも内側に設けられ、抵抗膜方式、超音波表面弾性波方式、静電容量方式等の方式により、表示画面上における接触位置のＸＹ座標を検出する。
【００１７】
図２に、本実施の形態におけるタッチパネル２３の領域を模式的に示す。
図２に示すように、タッチパネルの領域は平面座標系（以下、ＸＹ座標という）において表され、外部から接触された部分の座標を検出する。本実施の形態においては、タッチパネルの水平方向（Ｘ軸方向）を３２０等分した座標、及び垂直方向（Ｙ軸方向）を１８０等分した座標で表現する。タッチパネル２３は、外部からの接触によって検出した座標を制御部２０に対して入力する。
【００１８】
表示部２４は、表示手段として機能し、デジタルカメラ１０の本体の背面に設置され、ＬＣＤ（Liquid Crystal Display）やＥＬ（Electroluminescent）ディスプレイ、ＬＥＤ（Light Emitting Diode）等を備え、制御部２０から入力される表示制御信号に従って、所要の表示処理を行う。また、表示部２０は、レンズを介して入力された撮影画像を連続的に表示するファインダとしての機能も有する。なお、表示部２４を、デジタルカメラ１０の本体の背面だけでなく上面にも備えるようにしてもよい。
【００１９】
記憶部２５は、記憶手段として機能し、コンピュータ読み取り可能な記憶媒体としての不揮発性の半導体メモリにより構成され、制御部２０によって実行される各種制御プログラム、後述する設定内容変更処理を始めとする各種処理プログラム及びこれらのプログラムの実行に必要なパラメータや、撮像した画像データ、後述する表示内容テーブルＴ１、設定状態テーブルＴ２等を記憶する。
なお、上記記憶部２５以外のその他のコンピュータ読み取り可能な媒体として、フラッシュメモリ等の不揮発性メモリ、ＣＤ−ＲＯＭ等の可搬型記録媒体を適用することが可能である。また、本発明に係るプログラムのデータを通信回線（図示せず）を介して提供する媒体として、キャリアウェーブ（搬送波）も適用可能である。
【００２０】
画像処理部２６は、画像処理のための回路から構成され、撮像部２１で撮像された画像に対し、圧縮処理等の各種画像処理を行う。
【００２１】
操作部２７は、主電源ボタン、シャッターキー、レリーズボタン、再生ボタン、モード切替ボタン、カーソルボタン等により構成され、操作部２７を構成する各種ボタンの押下による操作信号を制御部２０に出力する。また、本実施の形態においては、操作部２７は後述する表示内容テーブルＴ１に記憶された設定項目を表示部２４に表示するよう指示する表示指示手段として機能する。
なお、デジタルカメラ１０が撮像を行う際には、まず操作部２７のシャッターキーを半押しする。半押しとは、シャッターキーの可動域の中間点付近までシャッターキーを押し込むことを示す。この半押し動作に対応する信号を操作部２７から制御部２０に対して入力されると、制御部２０は記憶部２５に記憶された各種設定内容に応じてスルー画像の設定処理を行う。
次いで、シャッターキーが全押しされると、この全押し動作に対応する信号が操作部２７から制御部２０に対して入力される。全押しとは、シャッターキーの可動域いっぱいまでシャッターキーを押し込むことをいう。この全押し動作に対応する信号を制御部２０に入力されると、半押しの際に設定した設定内容に基づいて撮像処理が行われることになる。
【００２２】
Ｉ／Ｆ２８は、デジタルカメラ１０と外部機器を接続するためのインターフェースであり、デジタルカメラ１０と外部機器のデータ送受信を仲介する。
【００２３】
外部記憶Ｉ／Ｏ部２９は、フラッシュメモリ等の半導体メモリが着脱可能な構成になっている。
【００２４】
次に動作について説明する。
図３に、デジタルカメラ１０によって実行されるメニュー表示処理のフローチャートを示す。メニュー表示処理は、デジタルカメラ１０の動作に係る設定項目の変更を行うためのメニュー表示の指示が、操作部２７から制御部２０に対して入力された際に、制御部２０と記憶部２５に記憶されたプログラムとの協働によるソフトウェア処理により実現される。
メニュー表示処理では、表示内容テーブルＴ１を参照し、設定項目の変更を行うためのメニューを表示させる。なお、以下における処理は制御部２０によって行われる。
【００２５】
図３に示すように、メニュー表示指示がなされると、まず記憶部２５に記憶された表示内容テーブルＴ１が参照される（ステップＳ１）。
【００２６】
図４に、ステップＳ１において参照される表示内容テーブルＴ１のデータ格納例を示す。図４に示すように、表示内容テーブルＴ１は「表示座標」フィールド、「検出範囲」フィールド、「タッチ回数」フィールド、及び「設定項目（大区分）」フィールド等から構成される。
「表示座標」フィールドには、レコードに対応する設定項目の表示テキストを表示すべき位置（座標）が格納される。設定項目とは、デジタルカメラ１０の動作に係る各機能の設定のことであり、例えば図４に示す例では、後述する「設定項目（大区分）」フィールドの値が「コントラスト」の設定項目は、デジタルカメラ１０が撮像部２１を介して入力されるスルー画像のコントラストに係る設定内容を示している。
「検出範囲」フィールドには、当該レコードに対応する表示テキストに対するタッチパネル２３からの入力を検出する範囲の座標が格納される。具体的には、例えば「（Ｘａ１，Ｙａ１）−（Ｘａ２，Ｙａ２）」の値は、タッチパネル２３上の座標が（Ｘａ１，Ｙａ１）と（Ｘａ２，Ｙａ２）とを結ぶ線分を対角線とする長方形の領域で囲まれる座標からのタッチが検出された場合に、当該レコードに対応する設定項目がタッチパネル２３から選択されたことを示す。
「タッチ回数」フィールドには、レコードに対応する設定項目がタッチパネル２３からの入力により選択された回数が格納される。
「設定項目（大区分）」フィールドには、レコードに対応する設定項目の値が格納され、この値は後述する表示画面Ｇ１において表示テキストとして使用される。このフィールドに格納された値は、後述する設定状態テーブルＴ２の「設定項目（大区分）」フィールドと値が対応付けられている。
【００２７】
図４に示す例では、例えば、「コントラスト」という設定項目は（Ｘａ、Ｙａ）の座標に「コントラスト」というテキストが表示され、（Ｘａ１，Ｙａ１）と（Ｘａ２，Ｙａ２）を結ぶ線分を対角線とする長方形で囲まれた領域のタッチパネル上の座標にタッチがあった場合、設定項目として「コントラスト」が選択されたことを制御部２０は認識することになる。
【００２８】
また、表示内容テーブルＴ１の「表示座標」フィールドに格納される座標は、各レコードの設定項目に応じて値が格納されている。本実施の形態においては、各機能の類似度合いに応じて、例えば設定対象となる機能が互いに類似している設定項目については互いに近接して表示されるような値が格納されている。
例えば、図４に示す例では、「設定項目（大区分）」フィールドに格納された値が「フラッシュ」、「フラッシュ光量」、「フラッシュアシスト」の設定項目は互いに設定対象が光量の設定変更に関する機能であるので、これらの「表示座標」フィールドに格納された値は互いに近い値が格納される。つまり、Ｘｃ１、Ｘｃ２、Ｘｃ３は互いに近い値（例えば５０〜５５の任意の整数等）であり、Ｙｃ１、Ｙｃ２、Ｙｃ３は互いに近い値（例えば１４０〜１５０の任意の整数等）が格納されている。
【００２９】
他の項目についても同様であり、図４の例では、「ＩＳＯ感度」と「画質」とは、撮像された画像の美しさや解像度に関連する機能として類似するため互いに近い値が格納される。また、「ＡＦエリア」、「フォーカス方式」、及び、「ＡＦ補助光」は撮像機能における合焦処理に関連する機能として類似するため互いに近い値が格納される。更に、「連写」と「セルフタイマー」とは、撮像機能における撮影時間（間隔）に関連する機能として類似するため互いに近い値が格納される。更にまた、「カラーフィルター」、「ホワイトバランス」、及び、「彩度」は、撮像機能、若しくは撮影後の画像表示機能における色調整に関連する機能として類似するため互いに近い値が格納される。すなわち、上記の互いに類似している設定項目の「表示座標」フィールドの値は互いに近い値が格納されている。
【００３０】
図３に戻り、ステップＳ１において参照された表示内容テーブルＴ１に基づいて表示部２４に表示画面Ｇ１が表示される（ステップＳ２）。具体的には、表示内容テーブルＴ１の「表示座標」フィールドに格納された座標に、「タッチ回数」フィールドに格納された回数に基づいた大きさで「設定項目（大区分）」フィールドに格納された表示テキストが表示される。ステップＳ２における処理により、制御部２０は表示制御手段として機能する。
【００３１】
図５（ａ）に、ステップＳ２において表示部２４に表示される表示画面Ｇ１の一例を示す。図５（ａ）に示すように、表示画面Ｇ１は表示テキストＢ１〜Ｂ１８等から構成される。
表示テキストＢ１〜Ｂ１８は、表示内容テーブルＴ１に基づいて表示された表示テキストである。本実施の形態においては、表示内容テーブルＴ１の「タッチ回数」フィールドの値に応じて表示テキストの大きさが決定される。例えば、「タッチ回数」が０〜１０であれば、フォントサイズを８ポイント、「タッチ回数」が１１〜４０であれば、フォントサイズを１０ポイント、「タッチ回数」が４１回以上であれば、フォントサイズを１２ポイントのように表示させる。図４に示す表示内容テーブルＴ１のデータ格納例では、「タッチ回数」が「７２」回である「フラッシュ」はフォントサイズを１２ポイントで表示させ、「タッチ回数」が「４」回である「フラッシュアシスト」はフォントサイズを８ポイントで表示させる等によって表示が行われる。
なお、このタッチ回数に応じた表示テキストの大きさは、予め定められた方法によって判断されればよく、上記の例に限られない。
【００３２】
図３に戻り、表示画面Ｇ１に表示された表示テキストがタッチされたか否かが判断される（ステップＳ３）。具体的には、表示内容テーブルＴ１の「検出範囲」フィールドに格納された値によって特定される領域内の座標から、タッチパネル２３からの入力が検出されたか否かが判断されることになる。
表示画面Ｇ１に表示された表示テキストがタッチされたと判断されない場合（ステップＳ３；ＮＯ）、処理はステップＳ９に移行する。
【００３３】
表示画面Ｇ１に表示された表示テキストがタッチされたと判断された場合（ステップＳ３；ＹＥＳ）、当該タッチされた表示テキストに対応するタッチ回数がカウントされる（ステップＳ４）。具体的には、タッチされた表示テキストに対応するレコードの「タッチ回数」フィールドの値が１加算されることによってカウントされることになる。
【００３４】
次いで、記憶部２５に記憶された設定状態テーブルＴ２が参照され、表示部２４にサブメニューを含む表示画面Ｇ２が表示される（ステップＳ５）。
【００３５】
図６に、ステップＳ５において参照される設定状態テーブルＴ２のデータ格納例を示す。図６に示すように、設定状態テーブルＴ２は、「設定項目（大区分）」フィールド、「設定項目（詳細）」フィールド、「表示座標」フィールド、「検出範囲」フィールド、「表示アイコン」フィールド、「設定フラグ」フィールド等から構成される。
「設定項目（大区分）」フィールドには、表示内容テーブルＴ１の「設定項目（大区分）」フィールドに対応する値が格納される。
「設定項目（詳細）」フィールドには、大区分の設定項目に対応した詳細な設定項目が格納される。「設定項目（詳細）」フィールドに格納される詳細な設定項目のそれぞれが設定内容となる。
「表示座標」フィールドには、レコードに対応した詳細な設定項目のアイコンを表示させる座標が格納される。
「検出範囲」フィールドには、レコードに対応した詳細な設定項目のアイコンのタッチパネル２３からの入力を検出する範囲の座標が格納される。
「表示アイコン」フィールドには、表示画面Ｇ２に表示される詳細な設定項目のアイコンが格納される。
「設定フラグ」フィールドには、当該レコードに対応する設定項目を選択しているか否かを示す値が格納される。本実施の形態において「０」は選択していない状態を示し、「１」は選択している状態を示す。図６に示す例では、例えば設定項目の「コントラスト」は設定内容が「オートホワイトバランス」として選択されていることを示す。
【００３６】
ステップＳ５においては、具体的には、ステップＳ３においてタッチが検出された設定項目の、表示内容テーブルＴ１の「設定項目（大区分）」フィールドの値と、設定状態テーブルＴ２の「設定項目（大区分）」フィールドの値が一致するレコードが参照される。このレコードの「表示座標」フィールドの値の位置に、「表示アイコン」フィールドに格納されたアイコンが表示画面Ｇ１に重畳して表示されることにより、表示部２４に表示画面Ｇ２が表示されることになる。
【００３７】
図５（ｂ）に、ステップＳ５において表示される表示画面Ｇ２の一例を示す。図５（ｂ）に示すように、表示画面Ｇ２は表示テキストＢ１〜Ｂ１８、サブメニューＭ１、サブメニューアイコンＭ１ａ〜Ｍ１ｇ等から構成される。
表示テキストＢ１〜Ｂ１８は、表示画面Ｇ１と同様である。サブメニューＭ１は、ステップＳ３においてタッチが検出された設定項目に対応するサブメニューを表示させるための領域である。サブメニューアイコンＭ１ａ〜Ｍ１ｇは、設定状態テーブルＴ２の「表示アイコン」フィールドに格納されたアイコンである。
図５（ｂ）に示す例では、表示画面Ｇ１において、表示テキストＢ１７がタッチされた例を示す。この場合には、ステップＳ５においては、設定状態テーブルＴ２の「設定項目（大区分）」フィールドが「コントラスト」のレコードが参照され、当該レコードの「表示座標」フィールドの位置に「表示アイコン」フィールドに格納されたアイコンが表示された例を示している。
【００３８】
図３に戻り、表示画面Ｇ２のサブメニューアイコンの検出範囲にタッチが検出されたか否かが判断される（ステップＳ６）。具体的には、ステップＳ３と同様に、ステップＳ５においてサブメニューＭ１が表示されたレコードのうち、設定状態テーブルＴ２の「検出範囲」フィールドに対応する領域からのタッチ検出がされたか否かによって判断される。
表示画面Ｇ２のサブメニューアイコンの検出範囲にタッチが検出されたと判断されない場合（ステップＳ６；ＮＯ）、サブメニューアイコン以外でタッチが検出されたか否かが判断される（ステップＳ７）。具体的には、表示画面Ｇ２のサブメニューアイコンの検出範囲以外の領域からのタッチが検出されたか否かによって判断される。図５（ｂ）の例では、表示テキストＭ１ａ〜Ｍ１ｇ以外の検出範囲（設定状態テーブルＴ２の「検出範囲」フィールドに格納された値を示す）からのタッチが検出されたか否かによって判断される。
【００３９】
サブメニューアイコン以外の領域でタッチが検出されたと判断された場合（ステップＳ７；ＹＥＳ）、処理はステップＳ２に戻る。サブメニューアイコン以外でタッチが検出されたと判断されない場合（ステップＳ７；ＮＯ）、処理はステップＳ６に戻る。
【００４０】
一方、表示画面Ｇ２のサブメニューの検出範囲にタッチが検出されたと判断された場合（ステップＳ６；ＹＥＳ）、当該検出範囲が一致する設定内容が変更される（ステップＳ８）。具体的には、検出範囲が一致するレコードの「設定フラグ」フィールドの値が「１」に変更され、当該レコードと「設定項目（大区分）」フィールドと値を同じとする他のレコードの「設定フラグ」フィールドの値が「０」に変更されることにより設定内容の変更が行われる。ステップＳ８における処理により、制御部２０は変更手段として機能する。
【００４１】
次いで、操作部２７から制御部２０に対してメニュー表示の終了指示が入力されたか否かが判断される（ステップＳ９）。メニュー表示の終了指示が入力されたと判断されない場合（ステップＳ９；ＮＯ）、処理はステップＳ２に戻る。
一方、メニュー表示の終了指示が入力されたと判断された場合（ステップＳ９；ＹＥＳ）、処理は終了する。
【００４２】
以上のように、本実施の形態におけるデジタルカメラ１０によれば、設定対象となる機能の互いの類似の度合いに応じた表示位置を記憶した表示内容テーブルＴ１を参照し、メニュー設定のための表示画面Ｇ１を表示させることができる。これにより、表示画面Ｇ１に表示された設定項目の各アイコンは、その設定対象となる機能が類似する設定項目同士を互いに接近する位置に表示されるので、ユーザが所望する設定項目の位置が把握しやすくなり、メニュー画面が見やすくなる。
【００４３】
また、表示画面Ｇ１を表示させる際には、アイコンのタッチ回数に応じて表示テキストの大きさを決定して表示しているので、多くの設定項目の中からユーザがよく使う機能の設定項目のアイコンを大きく表示させ、すばやく見つけられるようにすることができ、ユーザの操作性をより向上させることができる。
【００４４】
また、タッチパネル２３からのタッチによって設定項目を変更することができ、先述したように機能が類似する設定項目は近くなるようにアイコンが表示されるので、タッチパネル２３へタッチをした後に指をあまり動かさなくても、類似する機能の設定項目の変更操作をすることができ、連続して設定項目を変更する際の操作性が向上する。
【００４５】
なお、本実施の形態における記述は、本発明の一例を示すものであり、これに限定されない。例えば、本実施の形態ではデジタルカメラ１０を例に挙げて説明したが、設定項目を表示させることができる表示装置であればよく、これに限られない。例えば、携帯電話機等であってもよい。
【００４６】
また、本実施の形態においては、表示内容テーブルＴ１を参照することによって類似する設定項目の表示をするようにしたが、設定項目を表示すべき位置と設定項目を対応付けて記憶しておけばよく、設定項目の表示位置を格納するのは表示内容テーブルＴ１に限られず、別のデータ構造を持つデータテーブル等に格納されるようにしてもよい。
【００４７】
その他、本実施の形態に係るデジタルカメラ１０を構成する各装置の細部構成及び細部動作に関しても、発明の趣旨を逸脱することのない範囲で適宜変更可能である。
【図面の簡単な説明】
【００４８】
【図１】本実施の形態におけるデジタルカメラを示す機能ブロック図である。
【図２】図１のタッチパネルの構成を示す模式図である。
【図３】図１の制御部によって実行されるメニュー表示処理を示すフローチャートである。
【図４】図１の記憶部に記憶される表示内容テーブルの一例を示す模式図である。
【図５】図１の表示部２４に表示される表示画面の一例を示す図であり、（ａ）は表示テキストが表示された場合の表示画面例であり、（ｂ）は表示テキストが選択された場合に表示される表示画面例である。
【図６】図１の記憶部に記憶される設定状態テーブルの一例を示す模式図である。
【符号の説明】
【００４９】
１０  デジタルカメラ
２０  制御部
２１  撮像部
２２  Ａ／Ｄ変換部
２３  タッチパネル
２４  表示部
２５  記憶部
２６  画像処理部
２７  操作部
２８  Ｉ／Ｆ
２９  外部記憶Ｉ／Ｏ部
【図１】
2010060690.tif 000003
【図２】
2010060690.tif 000004
【図３】
2010060690.tif 000005
【図４】
2010060690.tif 000006
【図５】
2010060690.tif 000007
【図６】
2010060690.tif 000008